(57)【要約】    【課題】  気液混合流体に含有されている不純物を除去することが可能な不純物除去部材の劣化状態を検出し、不純物除去部材の交換時期であることを告知することができる燃料電池システムを提供する。    【解決手段】  燃料電池１０から排出される流体が流通する排出通路１９に、当該流体に混入する不純物を除去する不純物除去部材２４を配設し、この不純物除去部材２４に関する物理量を検出する物理量検出手段３０と、物理量検出手段３０から検出された物理量に基づいて、不純物除去部材２４の劣化度合いを判断する劣化判断手段４０を備えてなる燃料電池システム１である。【選択図】    図１
2006079842.tif 000002
【特許請求の範囲】
【請求項１】
燃料電池から排出される流体が流通する排出通路に、当該流体に混入する不純物を除去する不純物除去部材を配設してなる燃料電池システムであって、
前記不純物除去部材に関する物理量を検出する物理量検出手段と、
前記物理量検出手段から検出された物理量に基づいて、前記不純物除去部材の劣化度合いを判断する劣化判断手段と、
を、備えてなる燃料電池システム。
【請求項２】
前記物理量検出手段が、前記不純物除去部材の形状の変化を検出する形状変化検出手段を備えてなる請求項１記載の燃料電池システム。
【請求項３】
前記物理量検出手段が、前記不純物除去部材を通過した流体の状態量を測定する第１の流体状態量測定手段を備えてなる請求項１記載の燃料電池システム。
【請求項４】
前記物理量検出手段が、前記不純物除去部材を通過する前の流体の状態量を測定する第２の流体状態量測定手段をさらに備え、
前記劣化判断手段は、前記第１の流体状態量測定手段から検出された物理量と、第２の流体状態量測定手段から検出された物理量とを比較する物理量比較手段を備え、当該物理量比較手段から得られた値に基づいて前記不純物除去部材の劣化度合いを判断する請求項３記載の燃料電池システム。
【請求項５】
前記流体の状態量が、液体の状態量である請求項３または請求項４記載の燃料電池システム。
【請求項６】
前記流体の状態量が、当該流体の導電率である請求項３ないし請求項５のいずれか一項に記載の燃料電池システム。
【請求項７】
前記流体の状態量が、当該流体の圧力である請求項３ないし請求項５のいずれか一項に記載の燃料電池システム。
【請求項８】
前記不純物除去部材から液体を低減させた状態で、当該不純物除去部材に関する物理量を検出する請求項１記載の燃料電池システム。
【請求項９】
前記物理量検出手段が、前記不純物除去部材を通過する気体の状態量を検出する気体状態量検出手段と、前記不純物除去部材を通過する液体の状態量を検出する液体状態量検出手段と、を備えてなる請求項１記載の燃料電池システム。
【請求項１０】
前記気体状態検出手段は、前記燃料電池の運転状態に基づいて、前記気体の状態量を算出する請求項９記載の燃料電池システム。
【請求項１１】
前記液体状態量検出手段は、前記燃料電池の運転状態に基づいて、前記液体の状態量を算出する請求項９または請求項１０記載の燃料電池システム。
【請求項１２】
前記気体の状態量が、当該気体の流量、圧力、温度の少なくとも一つである請求項９ないし請求項１１のいずれか一項に記載の燃料電池システム。
【請求項１３】
前記液体の状態量が、当該液体の流量、圧力、温度の少なくとも一つである請求項９ないし請求項１２のいずれか一項に記載の燃料電池システム。
【請求項１４】
前記燃料電池から排出された流体を気体と液体とに分離する気液分離器をさらに備え、前記不純物除去部材が、当該気液分離器内に配設されてなる請求項１ないし請求項１３のいずれか一項に記載の燃料電池システム。
【請求項１５】
前記燃料電池から排出された流体を気体と液体とに分離する気液分離器をさらに備え、前記流体の導電率を測定する導電率測定装置を、当該気液分離器内に配設した請求項６記載の燃料電池システム。
【請求項１６】
前記不純物除去部材が、前記気液分離器内に配設されてなる請求項１５記載の燃料電池システム。
【請求項１７】
前記劣化判断手段で判断された結果を告知可能な告知手段をさらに備えた請求項１ないし請求項１７のいずれか一項に記載の燃料電池システム。
【発明の詳細な説明】
【技術分野】
【０００１】
本発明は、燃料電池システムにかかり、特に燃料電池から排出される流体が流通する排出通路に、当該流体に混入する不純物を除去する不純物除去部材を配設してなる燃料電池システムに関する。
【背景技術】
【０００２】
従来から、燃料電池から排出される流体が流通する排出通路に、当該流体に混入する不純物を除去する不純物除去部材を配設してなる燃料電池システムがある。この燃料電池システムでは、供給された水素の全てが電池反応に使用されるわけではない。したがって、排出された未反応の水素を再度燃料電池に戻して有効利用する循環システムが採用されており、燃料電池から排出される排出ガスと、燃料電池の電池反応により生成された水（生成水）とが混合して存在する気液混合流体から水分を除去するための気液分離器が配設されている。
【０００３】
ここで、前記水素循環系内を流れるガスや水には、僅かではあるが、燃料電池やシステムの配管部品等から溶出した不純物が存在している。また、カソード系の外気より吸い込んだ空気からも不純物が入り込み、電解質膜を通過して水素循環系に混入することもある。特に燃料電池やシステムの配管部品等から溶出した不純物中に金属イオンが存在している場合は、燃料電池自身の機能低下や寿命低下に通じる虞がある。また、燃料電池内で生成される水が酸性になる場合もある。そこで、従来から、水素循環系内にイオン交換器を配設し、生成水やガス等による燃料電池の劣化を防止する方法が採用されている。
【０００４】
近年では、燃料電池の生成水が排出される少なくとも一方の排出管の固体高分子型燃料電池側に設けられ、前記排出ガスに同伴する前記生成水中に含まれるイオンを除去する固体高分子型燃料電池システムが紹介されている。この固体高分子型燃料電池システムでは、前記生成水中に含まれるイオンを除去する手段として、イオン交換樹脂を利用し、フッ素イオンを除去することが開示されている。（例えば、特許文献１参照）。
【０００５】
また、燃料電池の冷却水や生成水に含有されるイオンを除去するイオン交換処理装置の交換時期を予測し判断する機能を備えた燃料電池システムも紹介されている。（例えば、特許文献２〜４参照）。
【特許文献１】特開２００２−３１３４０４号公報
【特許文献２】特開平５−３１５００２号公報
【特許文献３】特開２００２−２９８８９２号公報
【特許文献４】特開２００３−３４６８４５号公報
【発明の開示】
【発明が解決しようとする課題】
【０００６】
しかしながら、特許文献１に記載された固体高分子型燃料電池システムは、流体（気液混合流体）を液体と気体とに分離した後、この分離された液体をイオン交換樹脂に通すことで、当該液体から不純物を除去するものであるが、イオン交換樹脂の交換時期を予測し判断する機能については何ら考慮がなされていない。また、このイオン交換樹脂に、気液混合流体を通過させて、気液混合流体に含有されるイオンを除去することについては、考慮されていない。
【０００７】
ここで、燃料電池から排出された気液混合流体（気液分離を行う前の流体）は、液体の状態とは異なり、圧力が大きく変化したり、流速も変化することがある。したがって、冷却系や生成水が通過する配管系にイオン交換処理装置を配設した場合と、気液混合流体が通過する配管系にイオン交換処理装置を配設した場合とでは、イオン交換処理装置が使用される環境が異なるため、イオン交換処理装置の劣化条件等も異なることになる。
【０００８】
しかしながら、特許文献２〜４に記載された燃料電池システムでは、燃料電池の冷却水や生成水に含有されるイオンを除去するためのイオン交換処理装置の交換時期を予測し判断しているが、気液混合流体に含有されるイオンを除去するためのイオン交換処理装置の交換時期を予測し判断することについては、何ら考慮がなされていない。
【０００９】
本発明は、このような従来の燃料電池システムを改良することを課題とするものであり、気液混合流体に含有されている不純物を除去することが可能な不純物除去部材の劣化状態を検出し、不純物除去部材の交換時期であることを告知することができる燃料電池システムを提供することを目的とする。
【課題を解決するための手段】
【００１０】
この目的を達成するため、本発明は、燃料電池から排出される流体が流通する排出通路に、当該流体に混入する不純物を除去する不純物除去部材を配設してなる燃料電池システムであって、前記不純物除去部材に関する物理量を検出する物理量検出手段と、前記物理量検出手段から検出された物理量に基づいて、前記不純物除去部材の劣化度合いを判断する劣化判断手段と、を備えてなる燃料電池システムを提供するものである。
【００１１】
この構成を備えた燃料電池システムは、物理量検出手段から検出された不純物除去部材に関する物理量に基づいて、前記劣化判断手段により前記不純物除去部材の劣化度合いを判断することができるため、不純物除去部材の交換時期を正確に知ることができる。したがって、不純物除去部材に必要な不純物除去能力がなくなるまで、当該不純物除去部材を使用することができると共に、必要な不純物除去能力が無なっていることを知らずに、この劣化した不純物除去部材を使用してしまうことを防止することもできる。
【００１２】
前記物理量検出手段は、前記不純物除去部材の形状の変化を検出する形状変化検出手段を備えることができる。このように構成することで、不純物除去部材の形状変化から、この不純物除去部材の劣化状態を直接判断することができる。
【００１３】
また、前記物理量検出手段は、前記不純物除去部材を通過した流体の状態量を測定する第１の流体状態量測定手段を備えて構成することもできる。
【００１４】
そしてまた、本発明にかかる燃料電池システムが、前記第１の流体状態量測定手段を備えている場合、前記物理量検出手段は、前記不純物除去部材を通過する前の流体の状態量を測定する第２の流体状態量測定手段をさらに備え、前記劣化判断手段は、前記第１の流体状態量測定手段から検出された物理量と、第２の流体状態量測定手段から検出された物理量とを比較する物理量比較手段を備え、当該物理量比較手段から得られた値に基づいて前記不純物除去部材の劣化度合いを判断するよう構成することもできる。このように構成することで、第１の流体状態量測定手段から検出された物理量と、第２の流体状態量測定手段から検出された物理量の差の閾値から不純物除去部材の劣化状態を判断することができる。
【００１５】
前記流体の状態量としては、例えば、液体（生成水）の状態量を挙げることができる。この流体の状態量としては、例えば、流体の導電率や、流体の圧力等を挙げることができる。
【００１６】
また、本発明にかかる燃料電池システムは、前記不純物除去部材から液体を低減させた状態で、当該不純物除去部材に関する物理量を検出することもできる。このようにすることで、例えば、生成水等の外乱成分を、できるだけ排除した状態で、不純物除去部材に関する物理量を検出することができるため、当該不純物除去部材の劣化判定精度をさらに向上することができる。
【００１７】
また、本発明にかかる燃料電池システムでは、前記物理量検出手段が、前記不純物除去部材を通過する気体の状態量を検出する気体状態量検出手段と、前記不純物除去部材を通過する液体の状態量を検出する液体状態量検出手段と、を備えた構成を有することができる。このように構成することで、前記流体に中に含まれる気体の状態量と、液体の状態量とに分けて、不純物除去部材の劣化状態を判断することができる。すなわち、気体及び液体の各々に特有の劣化の影響を反映して不純物除去部材の劣化状態を判断することができるため、当該不純物除去部材の劣化判定精度をさらに向上することができる。
【００１８】
この気体状態検出手段は、前記燃料電池の運転状態に基づいて、前記気体の状態量を算出することができる。また、前記液体状態量検出手段は、前記燃料電池の運転状態に基づいて、前記液体の状態量を算出することができる。
【００１９】
そしてまた、前記気体の状態量は、当該気体の流量、圧力、温度の少なくとも一つであり、前記液体の状態量は、当該液体の流量、圧力、温度の少なくとも一つであることができる。
【００２０】
また、本発明にかかる燃料電池システムは、前記燃料電池から排出された流体を気体と液体とに分離する気液分離器をさらに備え、前記不純物除去部材が、当該気液分離器内に配設された構成を備えることができる。
【００２１】
さらにまた、本発明にかかる燃料電池システムは、前記燃料電池から排出された流体を気体と液体とに分離する気液分離器をさらに備え、前記流体の導電率を測定する導電率測定装置を、当該気液分離器内に配設した構成を備えることもできる。この構成の場合も、前記不純物除去部材を、前記気液分離器内に配設することができる。
【００２２】
また、本発明にかかる燃料電池システムは、前記劣化判断手段で判断された結果を告知可能な告知手段をさらに備えることができる。このように構成することで、不純物除去部材の交換時期を簡単に知ることができる。
【発明の効果】
【００２３】
本発明にかかる燃料電池システムは、不純物除去部材に関する物理量を検出する物理量検出手段と、前記物理量検出手段から検出された物理量に基づいて、前記不純物除去部材の劣化度合いを判断する劣化判断手段と、を備えているため、前記物理量検出手段から検出された不純物除去部材に関する物理量に基づいて、前記不純物除去部材の劣化度合いを判断することができる。したがって、不純物除去部材の交換時期を知ることができ、不純物除去部材に必要な不純物除去能力がなくなるまで、当該不純物除去部材を使用することができると共に、劣化した不純物除去部材を使用することを防止することもできる。この結果、燃料電池システムの信頼性を向上することができると共に、ランニングコストを削減することもできる。
【発明を実施するための最良の形態】
【００２４】
次に、本発明の好適な実施の形態にかかる燃料電池システムについて図面を参照して説明する。なお、以下に記載される実施の形態は、本発明を説明するための例示であり、本発明をこれらの実施の形態のみに限定するものではない。したがって、本発明は、その要旨を逸脱しない限り、様々な形態で実施することができる。
【００２５】
図１は、本発明の本実施の形態にかかる燃料電池システムの概略構成図、図２は、図１に示す燃料電池システムの構成要素である不純物除去部材を内設した気液分離器及びこの気液分離器に配設された物理量検出手段及び劣化判断手段を示す模式図、図３は、図２に示す気液分離器内に供給された流体の不純物除去部材を通過する前の圧力と、不純物除去部材を通過した後の圧力との差と、燃料電池の出力または流体の流量との関係を示す図、図４は、図２に示す物理量検出手段及び劣化判断手段の一連の動作を示すフローチャートである。
【００２６】
図１に示す燃料電池システム１の燃料電池１０は、ＭＥＡと、ＭＥＡの燃料極（アノード）に燃料ガス（水素）を、酸化剤極（カソード）に酸化ガス（酸素、通常は空気）を供給するための流路を形成するセパレータと、を重ね合わせたセルを複数備えてなるスタックを内蔵した構成を備えている。
【００２７】
この燃料電池１０の空気供給口１１には、酸化ガスとしての空気を供給する空気供給源９が、空気供給通路１２を介して接続されており、空気排出口１３には、燃料電池１０から排出される空気及び水（排出流体）が排出される空気排出通路１４が接続されている。また、空気供給通路１２及び空気排出通路１４には、加湿モジュール８が設けられており、この加湿モジュール８を通過した排出流体は、マフラ７を経て外部に排出される。また、この排出流体の一部は、水素希釈器６に供給され、水素の希釈に使用された後、外部に排出される。
【００２８】
一方、燃料電池１０の水素供給口１５には、例えば、水素ボンベ等の水素供給源１６が、水素供給通路１７を介して接続されており、水素排出口１８には、水素排出通路１９が接続されている。この水素排出通路１９の途中には、気液分離器２６が配設されている。具体的には、図２に示すように、この気液分離器２６の流体入口２６Ａに、水素排出通路１９の流体入口接続部１９Ａが連通され、気液分離器２６の流体出口２６Ｂに、水素排出通路１９の流体出口接続部１９Ｂが連通されている。
【００２９】
また、この気液分離器２６内には、不純物除去部材２４が配設されている。さらに、気液分離器２６の中央部には、流体出口２６Ｂに連通した気体通路２３が、不純物除去部材２４の中央部を貫通した状態で、図２でいう上下方向に沿って配設されている。
【００３０】
なお、本実施の形態では、不純物除去部材２４として、イオン交換樹脂を使用した。また、気液分離器２６としては、流体（気液混合体）を旋回させることによって、気体と液体とに分離するサイクロン式気液分離器を使用した。
【００３１】
気液分離器２６には、不純物除去部材２４の物理量を検出する物理量検出手段３０と、物理量検出手段３０から検出された物理量に基づいて、不純物除去部材２４の劣化度合いを判断する劣化判断手段４０と、が接続されている。
【００３２】
物理量検出手段３０は、特に図２に示すように、気液分離器２６に供給された流体の、不純物除去部材２４を通過する前の圧力（Ｐｉｎ）を測定する入側圧力測定装置３１と、不純物除去部材２４を通過した後の圧力（Ｐｏｕｔ）を測定する出側圧力測定装置３２を備えて構成されている。なお、本実施の形態では、この圧力（Ｐｉｎ）及び圧力（Ｐｏｕｔ）が、不純物除去部材２４に関する物理量となる。
【００３３】
また、入側圧力測定装置３１及び出側圧力測定装置３２には、入側圧力測定装置３１及び出側圧力測定装置３２で測定された圧力（Ｐｉｎ及びＰｏｕｔ）から両圧力の差（ΔＰ＝Ｐｉｎ−Ｐｏｕｔ）を算出し、この算出した値が、予め設定した閾値を越えるか否かの判断を行う劣化判断手段４０が接続されている。
【００３４】
ここで、図３に示すように、圧力差（ΔＰ＝Ｐｉｎ−Ｐｏｕｔ）と、燃料電池１０の出力または燃料電池１０から排出される流体の流量との間には、比例関係が成立する。したがって、前記圧力差（ΔＰ＝Ｐｉｎ−Ｐｏｕｔ）を算出し、この圧力差が、適性範囲内に入っているか否か（閾値を越えたか否か）を判断することによって、不純物除去部材２４が、現時点で、不純物をどの程度除去可能かが判り、不純物除去部材２４に、不純物除去能力が残っているか否かを判断することで、不純物除去部材２４の交換時期を判断している。
【００３５】
なお、前記圧力差（ΔＰ）は、流体の通過抵抗に関係している。この流体の通過抵抗は、不純物除去部材２４にトラップされた不純物の量、不純物除去部材２４にトラップした不純物の影響により生じる不純物除去部材２４の膨張または収縮状態、流体に含有された不純物の密度等によって決定される。
【００３６】
また、劣化判断手段４０には、劣化判断手段４０で行った判断の内容に基づいて、不純物除去部材２４を交換すべきか否かを告知する告知手段５０が接続されている。この告知手段５０としては、アラーム（お知らせ音）や、交換時期であることを所望のディスプレイに表示する等、種々の方式のものが挙げられる。
【００３７】
これら物理量検出手段３０、劣化判断手段４０及び告知手段５０の一連の動作は、以下の通りである。すなわち、図４に示すように、水素排出通路１９から気液分離器２６内に供給された流体の不純物除去部材２４を通過する前の圧力（Ｐｉｎ）を、入側圧力測定装置３１によって測定する。（ステップＳ１０１）。この測定値は、劣化判断手段４０に出力される。次に、不純物除去部材２４を通過した後の流体の圧力（Ｐｏｕｔ）を、出側圧力測定装置３２によって測定する。（ステップＳ１０２）。この測定値は、劣化判断手段４０に出力される。
【００３８】
次いで、劣化判断手段４０では、入側圧力測定装置３１及び出側圧力測定装置３２から受信した圧力の差（ΔＰ＝Ｐｉｎ−Ｐｏｕｔ）を算出し、この圧力差（ΔＰ）が、予め設定した閾値を越えるか否かを判断する。（ステップＳ１０３）。ステップＳ１０３で得られた圧力差（ΔＰ）が、予め設定されている閾値を越えた場合（ステップＳ１０３：ＹＥＳ）は、告知手段５０に、その旨の信号を出力し、告知手段５０は、不純物除去部材２４の交換時期がきたことを告知する。一方、ステップＳ１０３で得られた圧力差（ΔＰ）が、予め設定されている閾値を越えていない場合（ステップＳ１０３：ＮＯ）は、ステップＳ１０１〜ステップＳ１０３を繰り返す。
【００３９】
なお、気液分離器２６に供給された流体は、気体（水素）と液体（水）に分離されると共に、不純物除去部材２４によって不純物が除去された後、気液分離器２６から排出されて、再び水素供給通路１７から燃料電池１０に供給され、電池反応に使用される。また、気液分離器２６から排出された気体（水素）の一部は、所望により、水素希釈器６に供給される。一方、気液分離されると共に不純物が除去された液体は、気液分離器２６の下方に配設された排水口６０に集められ、電磁バルブ６１を開けることによって、外部に排出される。なお、符号２７は、水素ポンプである。
【００４０】
なお、本実施の形態では、不純物除去部材２４を通過する前の流体の状態量（圧力Ｐｉｎ）を測定する入側圧力測定装置３１と、不純物除去部材２４を通過した後の流体の状態量（圧力Ｐｏｕｔ）を測定する出側圧力測定装置３２を配設し、これらの圧力差（ΔＰ）に基づいて不純物除去部材２４の劣化度合いを判断した場合について説明したが、これに限らず、不純物除去部材２４を通過した後の流体の圧力（Ｐｏｕｔ）のみに基づいて、劣化判断手段４０で不純物除去部材２４の劣化度合いを判断してもよい。
【００４１】
また、本実施の形態では、不純物除去部材２４に付着した液体を低減させた状態で、前記圧力を測定してもよい。この場合、生成水等の外乱成分を、できるだけ排除した状態で、不純物除去部材２４に関する物理量を検出することができるため、不純物除去部材２４の劣化判定精度をさらに向上することができる。
【００４２】
そしてまた、本実施の形態では、流体の圧力を検出する物理量検出手段３０を備えた場合について説明したが、これに限らず、物理量検出手段３０は、不純物除去部材２４の物理量を検出可能であれば、他の構成を備えていてもよい。
【００４３】
本発明にかかる他の実施の形態としては、例えば、図５に示すように、不純物除去部材２４の上流側（図５でいう不純物除去部材２４の上面）に、外周面が気液分離器２６の内壁に固定されると共に、流体を不純物除去部材２４に供給するための複数の貫通孔６２が形成された支持板６１を設け、不純物除去部材２４の下流側（図５でいう不純物除去部材２４の下面）に、外周面が気液分離器２６の内壁に接触して上下方向に摺動可能であると共に、不純物除去部材２４を通過した流体を排出可能な複数の貫通孔６４が形成された移動板６３を設け、さらに、気液分離器２６の移動板６３よりも下方に、移動板６３を支持板６１に向けて付勢するばね部材６５を設け、この移動板６３に、物理量検出手段３０として、移動板６３の位置を検出する位置検出装置（位置センサ）を設けた構成が挙げられる。
【００４４】
この構成の場合、物理量検出手段３０は、不純物除去部材２４にトラップされた不純物の影響により生じる不純物除去部材２４の膨張または収縮に伴って、移動板６３が移動した距離（不純物除去部材に関する物理量）を検出し、この検出した値を劣化判断手段４０に出力する。劣化判断手段４０では、この検出値が、予め設定された閾値を越えた否かを判断し、閾値を越えた場合は、告知手段５０に、その旨の信号を出力すると、告知手段５０が不純物除去部材２４の交換時期がきたことを告知する。一方、この検出値が、閾値を越えていない場合は、移動板６３が移動した距離を検出し、この検出値が閾値を越えた否かを判断する工程を繰り返す。
【００４５】
また、本発明にかかる他の実施の形態としては、例えば、図６に示すように、物理量検出手段３０として、入側圧力測定装置３１及び出側圧力測定装置３２に代えて、導電率計を使用してもよい。この図６に示す実施の形態の場合、気液分離器２６の下方に配設された排水口６０に、導電率計を配設し、気液分離器２６で気液分離された後の液体（生成水）の導電率を測定することができる。
【００４６】
ここで、図７に示すように、排出口６０に収容された液体の導電率と、不純物除去部材２４の使用可能時間（不純物除去に必要な能力を備えている時間）との間には、比例関係が成立する。したがって、前記液体の導電率を測定し、この測定値（検出値）を劣化判断手段４０に出力することで、劣化判断手段４０において、この不純物除去部材２４に、不純物除去に必要な能力を備えているか否かを判断することができる。すなわち、劣化判断手段４０では、物理量検出手段３０としての導電率計で測定された導電率が、予め設定された閾値を越えた場合は、告知手段５０に、その旨の信号を出力し、告知手段５０が不純物除去部材２４の交換時期がきたことを告知する。一方、この導電率が、閾値を越えていない場合は、導電率の測定、閾値との比較を繰り返す。
【００４７】
なお、図６に示す実施の形態では、物理量検出手段３０としての導電率計を排水口６０に配設した場合について説明したが、これに限らず、前記導電率計は、不純物除去部材２４を通過した流体（液体または気体、あるいは気液混合体）の導電率を測定可能な位置であれば、他の場所に配設してもよい。
【００４８】
また、物理量検出手段３０としての導電率計を排水口６０に配設することに加え、例えば、気液分離器２６よりも上流側に配設された水素排出通路１９に、ここを流通する液体の導電率を測定する導電率計をさらに配設し、前記両導電率計によって、不純物除去部材２４を通過する前の液体の導電率と、不純物除去部材２４を通過した後の導電率との差を算出してもよい。
【００４９】
ここで、図８に示すように、不純物除去部材２４を通過する前の液体の導電率と、不純物除去部材２４を通過した後の導電率との差と、不純物除去部材２４の使用可能時間（不純物除去に必要な能力を備えている時間）との間には、反比例関係が成立する。したがって、前記導電率の差を算出し、この導電率の差を劣化判断手段４０に出力することで、劣化判断手段４０において、この不純物除去部材２４に、不純物除去に必要な能力を備えているか否かを判断することができ、この導電率の差が、予め設定された閾値を越えた場合は、前記と同様に、告知手段５０が、不純物除去部材２４の交換時期がきたことを告知する。
【００５０】
なお、燃料電池を使用した自動車等では、燃料電池の発電時に、当該燃料電池から発生する生成水を排気ホースにて外部へ導いているため、この生成水を介して燃料電池と車両両者を絶縁することができる。
【００５１】
さらにまた、本発明にかかる他の実施の形態としては、図９に示すように、燃料電池１０に、燃料電池１０の発電電流を測定する発電電流測定器７１を接続し、水素ポンプ２７に、水素ポンプ２７の作動状態（回転数、吸い込み圧力、吐出圧力等）を測定するポンプ作動状態測定器７２を接続し、発電電流測定器７１及びポンプ作動状態測定器７２に、劣化判断手段４０を接続し、この劣化判断手段４０に告知手段５０を接続した構成としてもよい。
【００５２】
ここで、燃料電池１０から排出される生成水の量（Ｌ）は、燃料電池１０の発電量に対し比例関係が成立する。すなわち、生成水の量（Ｌ）は、
Ｌ＝Ｃ×Ｉ
但し、Ｃは、燃料電池による固有定数、Ｉは、電流値である。この生成水の量（Ｌ）から、生成水量の積算値が算出される。
【００５３】
一方、不純物除去部材２４を通過する気体の流量（Ｑ）は、
Ｑ＝水素の排気量×ポンプの回転数×ｆ（Ｐｓ）×ｆ（ｔ）×η
但し、Ｐｓは、ポンプの吸い込み圧力、ｔは、温度、ηは、ｆ（Ｐｄ）
但し、Ｐｄは、ポンプの吐出圧力である。この気体の流量（Ｑ）から不純物除去部材２４を通過する気体の流量の積算値が算出される。
【００５４】
そして、図１０に示すように、この生成水量の積算値と、気体の流量の積算値との間には、反比例関係が成立する。したがって、前記生成水量の積算値と、気体の流量の積算値とを算出し、これらの値を劣化判断手段４０に出力することで、劣化判断手段４０において、この不純物除去部材２４に、不純物除去に必要な能力を備えているか否かを判断することができ、この両者の関係が、予め設定された閾値を越えた場合は、告知手段５０が不純物除去部材２４の交換時期がきたことを告知する。
【００５５】
なお、図９に示す実施の形態の場合、本発明にかかる物理量検出手段を、発電電流測定器７１とポンプ作動状態測定器７２により構成したが、発電電流測定器７１で測定した発電電流から生成水の量が算出されることから、不純物除去部材２４を通過する液体の状態量（流量）を算出することができる。すなわち、発電電流測定器７１は、燃料電池１０の運転状態（発電量）に基づいて、不純物除去部材２４を通過する液体の状態量（流量）を検出する液体状態量検出手段として機能している。
【００５６】
また、ポンプ作動状態測定器７２で測定したポンプ作動状態から、不純物除去部材２４を通過する気体の状態量（流量）を算出することができる。すなわち、ポンプ作動状態測定器７２は、燃料電池１０の運転状態により決まるポンプ作動状態に基づいて、不純物除去部材２４を通過する気体の状態量（流量）を検出する気体状態量検出手段として機能している。
【００５７】
なお、前記気体の状態量は、気体の流量の他、圧力、温度の少なくとも一つであってもよく、前記液体の状態量は、液体の流量の他、圧力、温度の少なくとも一つであってもよい。
【００５８】
また、不純物除去部材２４に関する物理量としては、前述したものの他、流体のｐＨ、流体の流量、流体の温度、燃料電池の運転状態等、種々の物理量が挙げられ、特に限定されるものではない。
【００５９】
そしてまた、前述した実施の形態では、不純物除去部材２４を気液分離器２６内に配設した場合について説明したが、これに限らず、不純物除去部材２４は、水素排出通路１９の所望位置に配設してもよい。
【００６０】
さらにまた、本実施の形態では、不純物除去部材２４を水素循環系に配設した場合について説明したが、これに限らず、本発明にかかる不純物除去部材２４は、酸化ガス（空気）供給系に配設してもよく、また、他の配管系に配設してもよい。
【００６１】
そしてまた、本実施の形態では、不純物除去部材２４として、イオン交換樹脂を使用した場合について説明したが、これに限らず、本発明にかかる不純物除去部材は、流体中の不純物を除去することが可能であれば、他の材料から構成してもよい。
【００６２】
また、本実施の形態では、気液分離器２６としてサイクロン式気液分離器を使用した場合について説明したが、これに限らず、他の方式により気液を分離する気液分離器を使用してもよいことは勿論である。
【図面の簡単な説明】
【００６３】
【図１】本発明の本実施の形態にかかる燃料電池システムの概略構成図である。
【図２】図１に示す燃料電池システムの構成要素である不純物除去部材を内設した気液分離器及びこの気液分離器に配設された物理量検出手段及び劣化判断手段を示す模式図である。
【図３】図２に示す気液分離器内に供給された流体の不純物除去部材を通過する前の圧力と、不純物除去部材を通過した後の圧力との差と、燃料電池の出力または流体の流量との関係を示す図である。
【図４】図２に示す物理量検出手段及び劣化判断手段の動作を示すフローチャートである。
【図５】本発明の他の実施の形態にかかる燃料電池システムの構成要素である不純物除去部材を内設した気液分離器及びこの気液分離器に配設された物理量検出手段及び劣化判断手段を示す模式図である。
【図６】本発明の他の実施の形態にかかる燃料電池システムの構成要素である不純物除去部材を内設した気液分離器及びこの気液分離器に配設された物理量検出手段及び劣化判断手段を示す模式図である。
【図７】流体の導電率と、不純物除去部材の使用可能時間との関係を示す図である。
【図８】流体の導電率差と、不純物除去部材の使用可能時間との関係を示す図である。
【図９】本発明の他の実施の形態にかかる燃料電池システムの概略構成図である。
【図１０】ガス流量の積算値と、生成水量の積算値との関係を示す図である。
【符号の説明】
【００６４】
１    燃料電池システム
１０    燃料電池
１９    水素排出通路
２４    不純物除去部材
２６    気液分離器
２７    水素ポンプ
３０    物理量検出手段
４０    劣化判断手段
５０    告知手段
６０    排水口
【図１】
2006079842.tif 000003
【図２】
2006079842.tif 000004
【図３】
2006079842.tif 000005
【図４】
2006079842.tif 000006
【図５】
2006079842.tif 000007
【図６】
2006079842.tif 000008
【図７】
2006079842.tif 000009
【図８】
2006079842.tif 000010
【図９】
2006079842.tif 000011
【図１０】
2006079842.tif 000012